(57)【要約】【課題】番組表の表示と番組選択を迅速かつ容易に行うことができるようにする。【解決手段】リモートコントローラ１００の右キーおよび左キーを操作して日付および時間帯を選択し、上キーおよび下キーを操作してチャンネルを選択すると、テレビジョン受像機２００の画面に対応する番組表が表示される。ジョイスティックを操作して番組表内に表示されたカーソルを所望の番組上に移動させることによりその番組を選択すると、その番組の詳細な内容が画面の所定の領域に表示される。【選択図】図３
2007228452.tif 000002
【特許請求の範囲】
【請求項１】
リモートコントローラと、前記リモートコントローラによって制御される表示制御装置とからなるリモコンシステムであって、
前記リモートコントローラは、
前記表示制御装置の表示装置の画面上に表示するコンテンツデータを特定する第１の操作手段と、
前記画面上に表示された前記コンテンツデータから所定のものを選択する第２の操作手段と、
前記第１の操作手段による前記コンテンツデータの特定処理と、前記第２の操作手段による前記コンテンツデータの選択処理とを独立または連携して処理する処理手段と
を備えることを特徴とするリモコンシステム。
【請求項２】
リモートコントローラと、前記リモートコントローラによって制御される表示制御装置とからなるリモコンシステムであって、
前記リモートコントローラは、
日付および時間帯を選択するための第１の選択手段と、
チャンネルを選択するための第２の選択手段と、
前記日付および時間帯において前記チャンネルで放送される各番組の番組表から所定の番組を選択するための第３の選択手段と、
前記第１乃至第３の選択手段に対してユーザによる所定の操作がなされたことを検出する検出手段と、
前記第１乃至第３の選択手段のうち、前記検出手段によって操作されたことが検出されたものに対応する制御信号を生成する生成手段と、
前記生成手段によって生成された前記制御信号を送出する送出手段と
を備え、
前記表示制御装置は、
前記リモートコントローラから送出された前記第１乃至第３の制御信号を受信する受信手段と、
前記受信手段によって受信された前記第１の制御信号に対応する前記日付および時間帯において、前記受信手段によって受信された前記第２の制御信号に対応する前記チャンネルで放送される各番組からなる番組表を生成し、所定の表示装置に表示する表示制御手段と、
前記受信手段によって受信された前記第３の制御信号に対応して、表示装置に表示された前記番組表の中から所定のものを選択し、選択した前記番組に対応する所定の処理を実行する実行手段と、
を備えることを特徴とするリモコンシステム。
【請求項３】
所定の表示制御装置を制御するリモートコントローラであって、
日付および時間帯を選択するための第１の選択手段と、
チャンネルを選択するための第２の選択手段と、
前記日付および時間帯において前記チャンネルで放送される各番組の番組表から所定の番組を選択するための第３の選択手段と、
前記第１乃至第３の選択手段に対してユーザによる所定の操作がなされたことを検出する検出手段と、
前記第１乃至第３の選択手段のうち、前記検出手段によって操作されたことが検出されたものに対応する制御信号を生成する生成手段と、
前記生成手段によって生成された前記制御信号を送出する送出手段と
を備えることを特徴とするリモートコントローラ。
【請求項４】
リモートコントローラによって制御される表示制御装置であって、
映像および前記映像に重畳された電子番組ガイドに対応する番組表を合成して表示する表示手段と、
前記リモートコントローラから送出された前記第１乃至第３の制御信号を受信する受信手段と、
前記受信手段によって受信された前記第１の制御信号に対応する前記日付および時間帯において、前記受信手段によって受信された前記第２の制御信号に対応する前記チャンネルで放送される各番組からなる番組表を生成し、所定の表示装置に表示する表示制御手段と、
前記受信手段によって受信された前記第３の制御信号に対応して、表示装置に表示された前記番組表の中から所定のものを選択し、選択した前記番組に対応する所定の処理を実行する実行手段と
を備えることを特徴とする表示制御装置。
【発明の詳細な説明】
【技術分野】
【０００１】
本発明はリモコンシステムに関し、特に、複数の選択項目の中から所定のものを選択するリモコンシステムに関する。
【背景技術】
【０００２】
従来、テレビジョン受像機では、所定の操作を行うことにより、各放送局で放送される各番組の内容や放送開始時刻および放送終了時刻等を示す電子番組表を画面に表示させることができる。従って、所定のチャンネルの番組を視聴している視聴者は、この電子番組表に基づいて、次に視聴する番組を決め、いま視聴している番組が終了すると、次に視聴したい番組が放送されるチャンネルにリモートコントローラ（以下、リモコンと記載する）等を操作して切り替えるようにしている。
また、放送に付帯して伝送される電子番組情報を視聴者（ユーザ）に提供するとき、番組の複数のカテゴリーを表示し、表示された番組のカテゴリーから希望する１つのカテゴリーを選択できるようにし、選択された１つのカテゴリーに対応する番組のあるチャンネルと放送時間を表として、複数の番組カテゴリーを表示するカテゴリー表示部と共に表示するようにし、表示された表の中から希望する１つの番組を選択できるようにして、より容易にかつ、直感的に目的とする番組情報をサーチ、理解することを可能とし、目的のカテゴリーに属する番組の分布状況をパターン認識的に容易に把握、理解することができ、番組選択の操作性を向上させたものがある（例えば、特許文献１参照）。
【特許文献１】特開平１０−１９１１９３号公報
【発明の開示】
【発明が解決しようとする課題】
【０００３】
このように、従来、所望の番組を選択するためには、まず、日付け、時間帯、および１または複数のチャンネルを指定し、指定された条件に対応する番組表を電子番組ガイドに基づいて表示させた後、その番組表の中から所望の番組を選択するという一連の操作が必要となる。しかしながら、これらの一連の操作は同一のキーを用いたり決められた順番に行わなければならず、操作が煩雑であるという問題があった。
また、特許文献１に記載の発明では、所望のカテゴリーの番組から所望の番組を選択することができるが、その選択方法は従来と同様であり、操作が煩雑であるという問題があった。
本発明はこのような状況に鑑みてなされたものであり、迅速かつ容易に番組表から所望の番組を選択することができるようにするものである。
【課題を解決するための手段】
【０００４】
請求項１に記載のリモコンシステムは、リモートコントローラと、リモートコントローラによって制御される表示制御装置とからなるリモコンシステムであって、リモートコントローラは、表示制御装置の表示装置の画面上に表示するコンテンツデータを特定する第１の操作手段と、画面上に表示されたコンテンツデータから所定のものを選択する第２の操作手段と、第１の操作手段によるコンテンツデータの特定処理と、第２の操作手段によるコンテンツデータの選択処理とを独立または連携して処理する処理手段とを備えることを特徴とする。
請求項２に記載のリモコンシステムは、リモートコントローラと、リモートコントローラによって制御される表示制御装置とからなるリモコンシステムであって、リモートコントローラは、日付および時間帯を選択するための第１の選択手段と、チャンネルを選択するための第２の選択手段と、日付および時間帯においてチャンネルで放送される各番組の番組表から所定の番組を選択するための第３の選択手段と、第１乃至第３の選択手段に対してユーザによる所定の操作がなされたことを検出する検出手段と、第１乃至第３の選択手段のうち、検出手段によって操作されたことが検出されたものに対応する制御信号を生成する生成手段と、生成手段によって生成された制御信号を送出する送出手段とを備え、表示制御装置は、リモートコントローラから送出された第１乃至第３の制御信号を受信する受信手段と、受信手段によって受信された第１の制御信号に対応する日付および時間帯において、受信手段によって受信された第２の制御信号に対応するチャンネルで放送される各番組からなる番組表を生成し、所定の表示装置に表示する表示制御手段と、受信手段によって受信された第３の制御信号に対応して、表示装置に表示された番組表の中から所定のものを選択し、選択した番組に対応する所定の処理を実行する実行手段と、を備えることを特徴とする。
請求項３に記載のリモートコントローラは、所定の表示制御装置を制御するリモートコントローラであって、日付および時間帯を選択するための第１の選択手段と、チャンネルを選択するための第２の選択手段と、日付および時間帯においてチャンネルで放送される各番組の番組表から所定の番組を選択するための第３の選択手段と、第１乃至第３の選択手段に対してユーザによる所定の操作がなされたことを検出する検出手段と、第１乃至第３の選択手段のうち、検出手段によって操作されたことが検出されたものに対応する制御信号を生成する生成手段と、生成手段によって生成された制御信号を送出する送出手段とを備えることを特徴とする。
請求項４に記載の表示制御装置は、リモートコントローラによって制御される表示制御装置であって、映像および映像に重畳された電子番組ガイドに対応する番組表を合成して表示する表示手段と、リモートコントローラから送出された第１乃至第３の制御信号を受信する受信手段と、受信手段によって受信された第１の制御信号に対応する日付および時間帯において、受信手段によって受信された第２の制御信号に対応するチャンネルで放送される各番組からなる番組表を生成し、所定の表示装置に表示する表示制御手段と、受信手段によって受信された第３の制御信号に対応して、表示装置に表示された番組表の中から所定のものを選択し、選択した番組に対応する所定の処理を実行する実行手段とを備えることを特徴とする。
【発明の効果】
【０００５】
本発明のリモコンシステムによれば、日付および時間帯の選択操作、チャンネルの選択操作、選択された日付および時間帯の選択されたチャンネルに対応する番組表の中から所望の番組を選択する操作をそれぞれ独立したカーソルを用いて並列的に行うことができるので、所望の番組の選択を迅速かつ容易に行うことができる。
【発明を実施するための最良の形態】
【０００６】
図１は、本発明のリモコンシステムにおいて用いられるリモートコントローラの一実施の形態の構成例を示す外観図である。同図に示すように、リモートコントローラ１００は、制御対象となる機器（この場合、後述するテレビジョン受像機２００（図３））の電源をオン／オフするときに操作される電源キー１０１と、チャンネルを選択するときに操作される複数のキーからなる選局キー１０２と、チャンネルを順番に切り替えるときに操作されるチャンネル切替キー１０３と、音量を調節するときに操作される音量調節キー１０４と、番組表の表示を指示するときに操作される番組表表示キー１０５と、アナログ地上波放送を選択するときに操作される地上Ａキー１１１と、デジタル地上波放送を選択するときに操作される地上Ｄキー１１２と、ＢＳ（Broadcasting Satellite）放送を選択するときに操作されるＢＳキー１１３と、ＣＳ（Communication Satellite）放送を選択するときに操作されるＣＳキー１１４と、後述するようにチャンネルを選択するときに操作される上キー１２１および下キー１２２と、後述するように日付および時間帯を選択するときに操作される左キー１２３および右キー１２４と、後述するように番組表の中から所望の番組を選択するときに操作されるジョイスティック１３０等から構成されている。
【０００７】
ジョイスティック１３０は、図２に示すように、上下左右の４方向に傾斜させることができ、傾斜させた方向に対応する制御信号が後述する制御部によって生成され、後述する送信部より赤外線等により送信されるようになっている。図２（ａ）は、ジョイスティック１３０の斜視図であり、図２（ｂ）は、ジョイスティック１３０の右側面図である。また、ジョイスティック１３０は、図２（ｂ）に示すように、他のキーと同様に押下する操作（リモートコントローラ１００の筐体に押しつける操作）も可能であり、その場合、「決定キー」として機能し、「決定キー」が操作されたことを示す制御信号が制御部によって生成され、送信部より送信される。
【０００８】
また、リモートコントローラ１００は、図示しないが、各部を制御するとともに各キーに対応する制御信号を生成する制御部と、各種データを記憶する記憶部と、制御信号を赤外線等により送信する送信部とを有し、制御部は、電源キー１０１、選局キー１０２、チャンネル切替キー１０３、音量調節キー１０４、番組表表示キー１０５、地上Ａキー１１１、地上Ｂキー１１２、ＢＳキー１１３、ＣＳキー１１４と、上キー１２１，下キー１２２、左キー１２３、右キー１２４の各キーが操作されたとき、操作された各キーに対応する制御信号、およびジョイスティック１３０の場合には４方向のうちのいずれかに傾斜されたとき、傾斜方向に対応する制御信号を生成し、押下されたときには「決定キー」に対応する制御信号を生成し、送信部は、制御部によって生成された制御信号を送信するようになっている。
【０００９】
また、このリモートコントローラ１００によって制御される例えばテレビジョン受像機２００（図３）は、アンテナを介して受信した放送電波から所定のチャンネルの番組に対応する映像音声信号を選局して出力するチューナと、その映像音声信号に重畳された電子番組ガイドを抽出する抽出部と、映像信号と電子番組ガイドを合成する合成部と、合成された合成映像を表示する表示部と、リモートコントローラ１００から送信された制御信号を受信する受信部と、受信した制御信号等に基づいて各部を制御する制御部等を備えている。
【００１０】
図３は、リモートコントローラ１００によって制御されるテレビジョン受像機２００の画面に表示された電子番組ガイドに基づく番組表の表示例を示している。同図に示すように、番組表は、複数の日付および時間帯を示す各選択項目と、この日付および時間帯を示す選択項目の所定のものを選択するためのカーソルＡ２０１と、縦軸にスクロール可能に表示された所定数のチャンネルと、横軸に表示された、カーソルＡ２０１によって選択されている日付および時間帯の選択項目に対応する日付および時間帯と、その日付および時間帯において縦軸に表示されている各チャンネルで放送される各番組に対応する複数の矩形の表示領域から構成されている。この例では、カーソルＡ２０１は、各日付および時間帯を示す選択項目の矩形の表示領域を囲む太枠で表され、カーソルＢ２０２は、各番組に対応する矩形の表示領域を囲む太枠で表されている。
【００１１】
各チャンネルは、例えば、チャンネル番号の小さいものから順に上から下に配列され、選択された日付の各時間帯が早いものから順に左から右に配列され、各チャンネルおよび各時間帯に対応する番組の矩形の表示領域が放送時間および放送される時間帯に対応する所定の位置に配列される。
【００１２】
例えば、図３に示すように、画面の上部の所定の領域には、日付が１７日（土）の時間帯が午前０時〜５時を示す選択項目と、時間帯が午前６時から１１時を示す選択項目と、時間帯が午後０時〜５時を示す選択項目と、時間帯が午後６時から１１時を示す選択項目が表示され、矩形のカーソルＡ２０１が午後６時〜午後１１時を示す選択項目の表示領域を囲む太枠として表示され、この選択項目が選択されている。
【００１３】
また、画面の中央部の所定の領域には、縦軸に、いま選択されている「チャンネルＡ」、「チャンネルＢ」、「チャンネルＣ」、「チャンネルＤ」、および「チャンネルＥ」が表示され、横軸に、いま選択されている日付および時間帯を示す「１７日（土）」、「午後６時」、「午後７時」、「午後８時」、「午後９時」、「午後１０時」、「午後１１時」が表示される。
【００１４】
そして、縦軸に表示されている各チャンネルにおいて、横軸に表示されている各時間帯で放送される各番組に対応する矩形の表示領域内に番組タイトル等の番組識別情報が表示される。各表示領域は、それぞれ対応する番組が放送されるチャンネルと、放送開始時刻および放送終了時刻に対応する領域に表示され、横軸方向の長さは放送時間に対応したものとされる。
【００１５】
この例では、チャンネルＡの午後６時から午後８時までの時間帯に番組のタイトル等の情報「番組Ａ−１」が表示されている。また、チャンネルＡの午後８時から午後１０時までの時間帯に「番組Ａ−２」が表示されている。また、チャンネルＡの午後１０時から午後１１時までの時間帯に「番組Ａ−３」が表示されている。また、チャンネルＡの午後１１時から午前０時までの時間帯に「番組Ａ−４」が表示されている。
【００１６】
また、チャンネルＢの午後６時から午後６時半までの時間帯に「番組Ｂ−１」が表示されている。また、チャンネルＢの午後６時半から午後７時半までの時間帯に「番組Ｂ−２」が表示されている。また、チャンネルＢの午後７時半から午後８時までの時間帯に「番組Ｂ−３」が表示されている。また、チャンネルＢの午後８時から午後９時までの時間帯に「番組Ｂ−４」が表示されている。また、チャンネルＢの午後９時から午後１０時までの時間帯に「番組Ｂ−５」が表示されている。また、チャンネルＢの午後１０時から午前０時までの時間帯に「番組Ｂ−６」が表示されている。
【００１７】
また、チャンネルＣの午後６時から午後８時までの時間帯に「番組Ｃ−１」が表示されている。また、チャンネルＣの午後８時から午後９時までの時間帯に「番組Ｃ−２」が表示されている。また、チャンネルＣの午後９時から午前０時までの時間帯に「番組Ｃ−３」が表示されている。
【００１８】
また、チャンネルＤの午後６時から午後８時までの時間帯に「番組Ｄ−１」が表示されている。また、チャンネルＤの午後８時から午後１０時までの時間帯に「番組Ｄ−２」が表示されている。また、チャンネルＤの午後１０時から午前０時までの時間帯に「番組Ｄ−３」が表示されている。
【００１９】
また、チャンネルＥの午後６時から午後７時までの時間帯に「番組Ｅ−１」が表示されている。また、チャンネルＥの午後７時から午後８時までの時間帯に「番組Ｅ−２」が表示されている。また、チャンネルＥの午後８時から午後１０時までの時間帯に「番組Ｅ−３」が表示されている。また、チャンネルＥの午後１０時から午前０時までの時間帯に「番組Ｅ−４」が表示されている。
【００２０】
次に、図４のフローチャートを参照して、リモートコントローラ１００の動作について説明する。まず、ステップＳ１において、リモートコントローラ１００の制御部により、リモートコントローラ１００に設けられた電源キー１０１、選局キー１０２等の各キーのうちのいずれかが操作されたか否かが判定される。その結果、各キーのいずれも操作されていないと判定された場合、ステップＳ１の処理が繰り返し実行される。
【００２１】
一方、各キーのうちのいずれかが操作されたと判定された場合、ステップＳ２に進む。ステップＳ２においては、制御部により、操作されたキーに対応するキーコードデータが生成される。
【００２２】
次に、ステップＳ３において、制御部の制御下、ステップＳ２において生成された操作されたキーに対応するキーコードデータが、図示しない送信部によって赤外線により送信される。その後、ステップＳ１に戻り、ステップＳ１以降の処理が繰り返し実行される。
【００２３】
次に、図５のフローチャートを参照して、リモートコントローラ１００によって制御されるテレビジョン受像機２００の動作について説明する。まず、ステップＳ１１において、テレビジョン受像機２００の図示しない制御部により、リモートコントローラ１００の左キー１２３が操作されたことを示すキーコードデータが図示しない受信部を介して受信されたか否かが判定される。
【００２４】
その結果、左キー１２３が操作されたことを示すキーコードデータが受信されていないと判定された場合、ステップＳ１３に進む。一方、左キー１２３が操作されたことを示すキーコードデータが受信されたと判定された場合、ステップＳ１２に進む。
【００２５】
ステップＳ１２においては、制御部の制御下、図３に示したテレビジョン受像機２００の画面に表示された番組表において、日時（日付および時間帯）の各選択項目を選択するためのカーソルＡ２０１が左隣に表示されている選択項目に移動する。ただし、左隣に選択項目が表示されていないときはそのまま移動しない。その後、ステップＳ１３に進む。
【００２６】
ステップＳ１３においては、テレビジョン受像機２００の制御部により、リモートコントローラ１００の右キー１２４が操作されたことを示すキーコードデータが受信部を介して受信されたか否かが判定される。
【００２７】
その結果、右キー１２４が操作されたことを示すキーコードデータが受信されていないと判定された場合、ステップＳ１５に進む。一方、右キーが操作されたことを示すキーコードデータが受信されたと判定された場合、ステップＳ１４に進む。
【００２８】
ステップＳ１４においては、制御部の制御下、日時の各選択項目を選択するためのカーソルＡ２０１が右方向に移動する。ただし、右隣に選択項目が表示されていないときはそのまま移動しない。その後、ステップＳ１５に進む。
【００２９】
ステップＳ１５においては、テレビジョン受像機２００の制御部により、リモートコントローラ１００の上キー１２１が操作されたことを示すキーコードデータが受信部を介して受信されたか否かが判定される。
【００３０】
その結果、上キー１２１が操作されたことを示すキーコードデータが受信されていないと判定された場合、ステップＳ１７に進む。一方、上キー１２１が操作されたことを示すキーコードデータが受信されたと判定された場合、ステップＳ１６に進む。
【００３１】
ステップＳ１６においては、図３に示した番組表において、チャンネルＡ乃至Ｅが表示されている領域（以下、チャンネル表示領域という）内に表示されている各チャンネルが下方向にスクロールされる。その結果、チャンネルＡの上に他のチャンネルが仮想的に配列されている場合、そのチャンネルが順次表示され、チャンネルＥから順に画面から消去されることになる。ただし、チャンネルＡの上に他のチャンネルが仮想的に配置されていない場合、スクロールは行われない。
【００３２】
次に、ステップＳ１７においては、テレビジョン受像機２００の制御部により、リモートコントローラ１００の下キー１２２が操作されたことを示すキーコードデータが受信部を介して受信されたか否かが判定される。
【００３３】
その結果、下キー１２２が操作されたことを示すキーコードデータが受信されていないと判定された場合、ステップＳ１９に進む。一方、下キー１２２が操作されたことを示すキーコードデータが受信されたと判定された場合、ステップＳ１８に進む。
【００３４】
ステップＳ１８においては、図３に示した番組表において、チャンネル表示領域内に表示されている各チャンネルが上方向にスクロールされる。その結果、チャンネルＥの下に他のチャンネルが仮想的に配列されている場合、そのチャンネルが順次表示され、チャンネルＡから順に画面から消去されることになる。ただし、チャンネルＥの下に他のチャンネルが仮想的に配置されていない場合、スクロールは行われない。
【００３５】
次に、ステップＳ１９においては、テレビジョン受像機２００の制御部により、リモートコントローラ１００の決定キーが操作されたこと（ジョイスティック１３０を押下する操作がされたこと）を示すキーコードデータが受信部を介して受信されたか否かが判定される。
【００３６】
その結果、決定キーが操作されたことを示すキーコードデータが受信されていないと判定された場合、ステップＳ２１に進む。一方、決定キーが操作されたことを示すキーコードデータが受信されたと判定された場合、ステップＳ２０に進む。
【００３７】
ステップＳ２０においては、カーソルＡ２０１によって選択されている日付および時間帯において、チャンネル表示領域内に表示されている各チャンネルで放送される各番組に対応する矩形の表示領域が、放送されるチャンネル、放送開始時刻、および放送終了時刻に対応する位置に表示される。この表示領域の横軸方向の長さは放送時間に対応している。
【００３８】
次に、ステップＳ２１において、ジョイスティック１３０を上下左右のいずれかの方向に傾斜させる操作が行われたか否かが判定される。その結果、ジョイスティック１３０を上下左右のいずれかの方向に傾斜させる操作が行われていないと判定された場合、ステップＳ２３に進む。
【００３９】
一方、ジョイスティック１３０を上下左右のいずれかの方向に傾斜させる操作が行われたと判定された場合、ステップＳ２２に進む。ステップＳ２２においては、制御部の制御下、ジョイスティック１３０を傾斜させた方向にカーソルＢ２０２が移動する。カーソルＢ２０２の移動は、上下方向にはチャンネル単位で移動し、左右方向には各番組に対応する矩形の表示領域単位で移動する。ジョイスティック１３０の操作により、ユーザは所望の番組に対応する矩形の表示領域上にカーソルＢ２０２を移動させ、その矩形の表示領域に対応する番組を選択することができる。
【００４０】
次に、ステップＳ２３においては、制御部により、カーソルＢ２０２によって選択された番組に対して所定の処理が実行される。この例では、番組表に表示されている各番組のうち、その表示領域が太枠で囲まれているものに対して、所定の処理が実行される。即ち、この例では太枠がカーソルＢ２０２として機能している。例えば、カーソルＢ２０２によって選択された番組の番組情報（例えば、番組内容、出演者等）が画面の下部の所定の表示領域に表示される。
【００４１】
以上説明したように、本実施の形態においては、日付および時間帯とチャンネルとを指定してそれらに対応する番組表を表示させるための上キー１２１、下キー１２２、左キー１２３、右キー１２４と、表示された番組表の中から所望の番組を選択するためのジョイスティック１３０とを独立して操作することができ、これらの操作を互いに連携して機能させることができるので、番組表の表示操作と番組の選択操作を迅速かつ容易に行うことができ、番組選択時の操作性を向上させることができる。
【００４２】
なお、上記実施の形態の構成及び動作は例であって、本発明の趣旨を逸脱しない範囲で適宜変更することができることは言うまでもない。
【産業上の利用可能性】
【００４３】
本発明の活用例として、例えば、テレビジョン受像機だけでなく、各種録画装置にも本発明を適用することができる。
【図面の簡単な説明】
【００４４】
【図１】本発明に用いられるリモートコントローラの一実施の形態の外観図である。
【図２】ジョイスティックの操作方法を示す図である。
【図３】番組表の例を示す図である。
【図４】リモコンの動作を説明するためのフローチャートである。
【図５】テレビジョン受像機の動作を説明するためのフローチャートである。
【符号の説明】
【００４５】
１００  リモートコントローラ
１０１  電源キー
１０２  選局キー
１０３  チャンネル切替キー
１０４  音量調節キー
１０５  番組表表示キー
１１１  地上Ａキー
１１２  地上Ｄキー
１１３  ＢＳキー
１１４  ＣＳキー
１２１  上キー
１２２  下キー
１２３  左キー
１２４  右キー
１３０  ジョイスティック
２００  テレビジョン受像機
２０１  カーソルＡ
２０２  カーソルＢ
【図１】
2007228452.tif 000003
【図２】
2007228452.tif 000004
【図３】
2007228452.tif 000005
【図４】
2007228452.tif 000006
【図５】
2007228452.tif 000007